【手続補正書】
【提出日】平成15年10月15日(2003.10.15)
【手続補正１】
【補正対象書類名】明細書
【補正対象項目名】請求項１
【補正方法】変更
【補正の内容】
【請求項１】
前面にねじ筒部を有し、このねじ筒部内に直管蛍光灯を装着するランプ装着部を有するソケット本体と、
前記直管蛍光灯が挿通される略円筒状で前記ソケット本体の前記ねじ筒部に螺合する防水リングと、
この防水リング内に嵌められた略円筒状で前記直管蛍光灯が挿通される防水パッキンとを備え、
前記防水リングを前記ソケット本体の前記ねじ筒部に螺合して、前記防水リングで前記防水パッキンを前記ソケット本体側に押し付けることにより、前記直管蛍光灯および前記ソケット本体に前記防水パッキンを密着させて前記直管蛍光灯の前記ランプ装着部を防水するようにした防水ソケットにおいて、
前記ソケット本体は、前記ねじ筒部の少なくとも一箇所に内外貫通して前記直管蛍光灯のランプピンを挿通させ前記直管蛍光灯を前記ランプ装着部に配置させるランプピン挿通溝を設けるとともに、前記ランプピン挿通溝の後端面と同一平面上または前記後端面より奥の前記ねじ筒部の内底面に略環状の防水パッキン当接面を設け、
前記防水リングは、前端部に防水リング当接部を有し、
前記防水パッキンは、内周面にランプ当接面を有し、
前記防水リングを前記ねじ筒部に螺合することにより、前記ランプ当接面を前記直管蛍光灯に密着するとともに、前記防水リング当接部により前記防水パッキンの前端部を軸方向に押圧して後端部を前記防水パッキン当接面に当接したことを特徴とする防水ソケット。
【手続補正２】
【補正対象書類名】明細書
【補正対象項目名】請求項２
【補正方法】変更
【補正の内容】
【請求項２】
前記防水パッキンを前記防水リングに挿入し、前記防水リングを前記ねじ筒部に螺合して締付ける前の状態において、前記防水パッキンはその後端部を前記防水リングの外に突出する寸法をもつ請求項1記載の防水ソケット。
【手続補正３】
【補正対象書類名】明細書
【補正対象項目名】０００５
【補正方法】変更
【補正の内容】
【０００５】
【課題を解決するための手段】
請求項１記載の防水ソケットは、前面にねじ筒部を有し、このねじ筒部内に直管蛍光灯を装着するランプ装着部を有するソケット本体と、
前記直管蛍光灯が挿通される略円筒状で前記ソケット本体の前記ねじ筒部に螺合する防水リングと、
この防水リング内に嵌められた略円筒状で前記直管蛍光灯が挿通される防水パッキンとを備え、
前記防水リングを前記ソケット本体の前記ねじ筒部に螺合して、前記防水リングで前記防水パッキンを前記ソケット本体側に押し付けることにより、前記直管蛍光灯および前記ソケット本体に前記防水パッキンを密着させて前記直管蛍光灯の前記ランプ装着部を防水するようにした防水ソケットにおいて、
前記ソケット本体は、前記ねじ筒部の少なくとも一箇所に内外貫通して前記直管蛍光灯のランプピンを挿通させ前記直管蛍光灯を前記ランプ装着部に配置させるランプピン挿通溝を設けるとともに、前記ランプピン挿通溝の後端面と同一平面上または前記後端面より奥の前記ねじ筒部の内底面に略環状の防水パッキン当接面を設け、
前記防水リングは、前端部に防水リング当接部を有し、
前記防水パッキンは、内周面にランプ当接面を有し、
前記防水リングを前記ねじ筒部に螺合することにより、前記ランプ当接面を前記直管蛍光灯に密着するとともに、前記防水リング当接部により前記防水パッキンの前端部を軸方向に押圧して後端部を前記防水パッキン当接面に当接したことを特徴とするものである。


【手続補正４】
【補正対象書類名】明細書
【補正対象項目名】０００６
【補正方法】変更
【補正の内容】
【０００６】
請求項１記載の防水ソケットによれば、ソケット本体のランプピン挿通溝の後端面以上の奥のねじ筒部の内底面に、略環状の防水パッキン当接面を設け、防水パッキンの前端部を防水リングにより押圧して後端部をソケット本体内の防水パッキン当接面に当接させて防水構造としたため、従来例のＯリングを削減でき、Ｏリングの紛失の問題がなくなり、防水面も減らすことができる。その結果、防水リングの締付けによる防水パッキンへの摩擦力を低減し操作性を向上しながら、防水面への密着力を向上させることができ、従来より低コストかつ組立が容易で、さらに小さな締付け力の安定した防水性能が得られる。


【手続補正５】
【補正対象書類名】明細書
【補正対象項目名】０００７
【補正方法】変更
【補正の内容】
【０００７】
請求項２記載の防水ソケットは、請求項1において、前記防水パッキンを前記防水リングに挿入し、前記防水リングを前記ねじ筒部に螺合して締付ける前の状態において、前記防水パッキンはその後端部を前記防水リングの外に突出する寸法をもつものである。
請求項２記載の防水ソケットによれば、請求項1と同様な効果のほか、防水リングに防水パッキンを挿入した状態で、ソケット本体のねじ部へ螺合しながら締めつける際、ランプピン挿通溝から防水パッキンの状態を確認できる。


【手続補正６】
【補正対象書類名】明細書
【補正対象項目名】００１２
【補正方法】変更
【補正の内容】
【００１２】
防水パッキン３はその前端部を防水リング当接部１６に当接するとともに後端部を防水パッキン当接面１ａに当接する。実施の形態では、ソケット本体１のランプピン挿通溝１２の後端面以上の奥のねじ筒部１１の内底面すなわち防水パッキン当接面１ａに先端が当接する円筒部４と、ランプＬと防水リング２の円筒内面との間に挾装される主筒部５から構成される。円筒部４の断面積は主筒部５より小さく形成される。防水パッキン３の円筒部４のソケット本体１の防水パッキン当接面１ａとの当接面には、円筒部４の断面積よりも小さくなった略環状の凸部９を設けてある。また主筒部５の防水リング２の内面の防水リング当接部１６の当接面にも同様の凸部７を設けている。これらの凸部７、９は防水パッキン当接面１ａおよび防水リング当接部１６の当接面に対して線接触に近い状態で接触するようになっており、防水リング２をソケット本体１のねじ筒部１１に螺合して、防水リング２を締めつけることにより防水パッキン３に作用する摩擦力を低減することができる。


【手続補正７】
【補正対象書類名】明細書
【補正対象項目名】００２３
【補正方法】変更
【補正の内容】
【００２３】
【発明の効果】
請求項１記載の防水ソケットによれば、ソケット本体のランプピン挿通溝の後端面以上の奥のねじ筒部の内底面に、略環状の防水パッキン当接面を設け、防水パッキンの前端部を防水リングにより押圧して後端部をソケット本体内の防水パッキン当接面に当接させて防水構造としたため、従来例のＯリングを削減でき、Ｏリングの紛失の問題がなくなり、防水面も減らすことができる。その結果、防水リングの締付けによる防水パッキンへの摩擦力を低減し操作性を向上しながら、防水面への密着力を向上させることができ、従来より低コストかつ組立が容易で、さらに小さな締付け力の安定した防水性能が得られる。


【手続補正８】
【補正対象書類名】明細書
【補正対象項目名】００２４
【補正方法】変更
【補正の内容】
【００２４】
請求項２記載の防水ソケットによれば、請求項1と同様な効果のほか、防水リングに防水パッキンを挿入した状態で、ソケット本体のねじ部へ螺合しながら締めつける際、ランプピン挿通溝から防水パッキンの状態を確認できる。
請求項３記載の防水ソケットによれば、請求項１と同様な効果のほか、防水パッキンの外鍔部を防水リングに係止すると、防水パッキンが抜けにくく外れにくくなる。